(57)【要約】【課題】床置き以外でも振動を抑え騒音の発生を低減することができることを目的とする。【解決手段】本体ユニットを天井に設置し、圧縮機２に設ける防振ゴム８を２段に積み重ね、それぞれ硬度の違う防振ゴム８とするという構成にしたことにより、硬度の違う防振ゴム８を２段に積み重ねることにより、共振点をずらせるので、設置工事時に床置き以外でも振動を抑えることができつつ騒音の発生を低減することができる浴室換気空調装置を得られる。【選択図】図２
2012193934.tif 000002
【特許請求の範囲】
【請求項１】
冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した本体ユニットにおいて、前記本体ユニットを天井に設置し、前記圧縮機に設ける防振ゴムを２段に積み重ね、それぞれ硬度の違う防振ゴムとすることを特徴とする換気空調装置。
【請求項２】
２段に積み重ねた防振ゴムの間に、防振させる防振部を介在させることを特徴とする請求項１に記載の換気空調装置。
【請求項３】
圧縮機に連通される冷媒吐出配管を圧縮機の周囲に沿って設け、少なくとも１ループ以上前記冷媒吐出配管をひきまわしたことを特徴とする請求項１に記載の換気空調装置。
【請求項４】
圧縮機に連通される冷媒吸込配管を圧縮機の周囲に沿って設け、少なくとも１ループ以上前記冷媒吸込配管をひきまわしたことを特徴とする請求項１に記載の換気空調装置。
【請求項５】
圧縮機に連通される冷媒吐出配管に、マフラー管を取り付けたことを特徴とする請求項１に記載の換気空調装置。
【発明の詳細な説明】
【技術分野】
【０００１】
本発明は、圧縮機を搭載した浴室換気空調装置に関するものである。
【背景技術】
【０００２】
従来、この種の浴室換気空調装置は、ヒートポンプ方式のものが知られている（例えば、特許文献１参照）。
【０００３】
以下、その浴室換気空調装置について、図５を参照しながら説明する。
【０００４】
図６に示すように、圧縮機１０１と第一熱交換器１０２と膨張機構１０３からなり、さらに第二熱交換器１０４を備える冷媒回路１０５を外郭内１０６に一体化して構成されたヒートポンプ方式によりおこなう空調装置である。
【先行技術文献】
【特許文献】
【０００５】
【特許文献１】特開２００９−２７６０３６号公報
【発明の概要】
【発明が解決しようとする課題】
【０００６】
このような従来の浴室換気空調装置においては、熱源に電気式のヒーターを用いるのが主流であったが、電気式のヒーターでは消費効率（能力／入力）が１のため少エネ性がなく、そこで、近年ヒートポンプによる浴室換気空調装置に変わりつつあるが、ヒートポンプによる空調装置には必ず圧縮機という非常に振動が大きい部品を使用しなければならなく、主なヒートポンプによる空調装置は通常床に置かれているため防振がしやすいが、床置き以外のときには防振しにくく、結果、振動が発生し騒音が発生する、という課題を有していた。
【０００７】
そこで本発明は、上記従来の課題を解決するものであり、床置き以外でも振動を抑え騒音の発生を低減することができる浴室換気空調装置を提供することを目的とする。
【課題を解決するための手段】
【０００８】
そして、この目的を達成するために、本発明は、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した本体ユニットにおいて、前記本体ユニットを天井に設置し、前記圧縮機に設ける防振ゴムを２段に積み重ね、それぞれ硬度の違う防振ゴムとする、としたものであり、これにより所期の目的を達成するものである。
【発明の効果】
【０００９】
本発明によれば、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した本体ユニットにおいて、前記本体ユニットを天井に設置し、前記圧縮機に設ける防振ゴムを２段に積み重ね、それぞれ硬度の違う防振ゴムとするという構成にしたことにより、硬度の違う防振ゴムを２段に積み重ねることにより、共振点をずらす効果があり、床置き以外でも振動を抑え騒音の発生を低減することができる、という効果を得ることができる。
【図面の簡単な説明】
【００１０】
【図１】本発明の実施の形態１の浴室換気空調装置の概略配置を示す図
【図２】本発明の実施の形態２の浴室換気空調装置の圧縮機の２段防振ゴムの配列図
【図３】本発明の実施の形態３の浴室換気空調装置の冷媒吐出配管図
【図４】本発明の実施の形態４の浴室換気空調装置の冷媒吸込配管図
【図５】本発明の実施の形態４の浴室換気空調装置の冷媒吸込配管例を示す図
【図６】従来の浴室換気空調装置の概略図
【発明を実施するための形態】
【００１１】
本発明の請求項１記載の浴室換気空調装置は、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、側面には送風機ユニットを配した本体ユニットにおいて、前記本体ユニットを天井に設置し、前記圧縮機に設ける防振ゴムを２段に積み重ね、それぞれ硬度の違う防振ゴムとする、という構成を有する。これにより、硬度の違う防振ゴムを２段に積み重ねることにより、共振点をずらせるので、床置き以外でも振動を抑え騒音の発生を低減することができる、という効果を奏する。
【００１２】
また、２段に積み重ねた防振ゴムの間に、防振させる防振部を介在させる、という構成にしてもよい。これにより、防振部を介在させることにより、防振部が防振ゴムを安定させ振動を吸収することとなるので、防振ゴムを安定させることにより、振動のバラツキを少なくする、という効果を奏する。
【００１３】
また、圧縮機に連通される冷媒吐出配管を圧縮機の周囲に沿って設け、少なくとも１ループ以上前記冷媒吐出配管をひきまわした、という構成にしてもよい。これにより、冷媒吐出配管を一旦、外郭の上面に向かって引き回し、次にＲで曲げ横に引き回し、またＲに曲げ、今度は外郭の下に向かって引き回し、またＲに曲げ、横に引き回し、Ｒに曲げ上に向かって引き回して１ループさせこれを繰り返すことで、ループされた冷媒吐出配管で圧縮機の振動を抑えることとなるので、必要である冷媒吐出配管を１ループ以上させることにより、圧縮機の揺れを抑え、結果、騒音の発生を防ぐことができる、という効果を奏する。
【００１４】
また、圧縮機に連通される冷媒吸込配管を圧縮機の周囲に沿って設け、少なくとも１ループ以上前記冷媒吸込配管をひきまわしたことという構成にしてもよい。これにより、冷媒吸込配管を、その手前形状を外郭の上面に向かって引き回し、次にＲで曲げ横に引き回し、またＲに曲げ、今度は製品の下に向かって引き回し、またＲに曲げ、横に引き回し、Ｒに曲げ上に向かって引き回すことにより、１ループさせこれを繰り返し引き回すこととなるので、冷媒吸込配管を１ループ以上させることにより、圧縮機の揺れを抑え、結果、騒音の発生を防ぐことができる、という効果を奏する。
【００１５】
また、圧縮機に連通される冷媒吐出配管に、マフラー管を取り付けた、という構成にしてもよい。これにより、冷媒吐出配管にマフラー管を入れ、冷媒の流速による音の低減をおこなうこととなるので、冷媒の流速音を低減することができ、結果、騒音の発生を低減することができる、という効果を奏する。
【００１６】
以下、本発明の実施の形態について図面を参照しながら説明する。
【００１７】
（実施の形態１）
図１に示すように、冷媒を圧縮するための圧縮機１と、通過する空気に放熱するための第一熱交換器２と、前記冷媒を膨張するための膨張機構３と、前記通過する空気から吸熱するための第二熱交換器４とを順に連結し、前記冷媒を流通させるための冷媒回路５を設けた冷凍サイクルを箱状の外郭６内に配し、側面には送風機ユニット７を配した本体ユニットにおいて、前記本体ユニットを天井に設置する構造とする。
【００１８】
（実施の形態２）
図２に示すように、前記圧縮機１に設ける防振ゴム８を２段に積み重ね、それぞれ硬度の違う防振ゴム８とする、という構成を有する。硬度の違う防振ゴム８を２段に積み重ねることにより、圧縮機１の円周方向の揺れや半径方向の揺れ、上下振動の揺れをずらすことができ、床置き以外でも振動を抑え騒音の発生を低減することができる、という効果を奏する。
【００１９】
防振ゴム８の材質は天然ゴムもしくは二トリルブタジエンゴムが効果的である。
【００２０】
また防振ゴムの硬度は２０°〜５０°の組み合わせが効果的であるが、より好ましくは３０°〜４０°の硬度の組み合わせである。
【００２１】
これにより、振動振幅値が９７μｍあったものを１４μｍに抑えることができる。（外郭６側面振幅）。
【００２２】
また、２段に積み重ねた防振ゴム８の間に、防振させる防振部９を介在させる、という構成にしてもよい。防振部９を介在させることにより、防振部９が防振ゴム８を安定させ振動を吸収することとなるので、振動のバラツキを少なくする、という効果を奏する。
【００２３】
防振部９は、樹脂または板金が効果的であるが、形状成型的により樹脂が好ましい。
【００２４】
また、形状においても外郭６の高さを低く抑えるために、防振ゴム８に対して覆うように湾曲させた形状にすることができる。
【００２５】
（実施の形態３）
図３に示すように、圧縮機１（図示せず）に連通される冷媒吐出配管１０を圧縮機１の周囲に沿って設け、少なくとも１ループ以上前記冷媒吐出配管１０をひきまわした、という構成にしてもよい。これにより、冷媒吐出配管１０を一旦、外郭６の上面に向かって引き回し、次にＲで曲げ横に引き回し、またＲに曲げ、今度は外郭６の下に向かって引き回し、またＲに曲げ、横に引き回し、Ｒに曲げ上に向かって引き回して１ループさせこれを繰り返すことで、ループされた冷媒吐出配管１０で圧縮機１の振動を抑えることとなるので、冷媒吐出配管１０を１ループ以上させることにより、圧縮機１の円周方向の揺れや半径方向の揺れ、上下振動の揺れを第一熱交換器２に伝達するのを抑え、結果、騒音の発生を防ぐことができる、という効果を奏する。
【００２６】
１ループは高さが５０ｍｍ以上で１５０ｍｍ以下程度、横が４０ｍｍ以上で１００ｍｍ以下程度、曲げＲはＲ１５ｍｍ以上でＲ４０ｍｍ以下が効果的である。
【００２７】
また、圧縮機１に連通される冷媒吐出配管１０に、マフラー管１１を取り付けた、という構成にしてもよい。これにより、冷媒吐出配管１０にマフラー管１１を入れ、冷媒の流速による音の低減をおこなうこととなるので、冷媒の流速音を低減することができ、結果、騒音の発生を低減することができる。
【００２８】
（実施の形態４）
図４、図５に示すように、圧縮機１（図示せず）に連通される冷媒吸込配管１２を圧縮機１の周囲に沿って設け、少なくとも１ループ以上前記冷媒吸込配管１２をひきまわしたことという構成にしてもよい。これにより、冷媒吸込配管１２を、圧縮機１に連結されるその手前形状を外郭６の上面に向かって引き回し、次にＲで曲げ横に引き回し、またＲに曲げ、今度は外郭６の下に向かって引き回し、またＲに曲げ、横に引き回し、Ｒに曲げ上に向かって引き回すことにより、１ループさせ、これを繰り返し引き回すこととなるので、冷媒吸込配管１２を１ループ以上させることにより、圧縮機１の円周方向の揺れや半径方向の揺れ、上下振動の揺れ揺れを第二熱交換器４に伝達するのを抑え、結果、騒音の発生を防ぐことができる、という効果を奏する。
【００２９】
前記、冷媒吸込配管１２は１ループ以上引き回す際に、角度をも各々を変えながら、引き回すことにより、圧縮機１の円周方向の揺れや半径方向の揺れ、上下振動の揺れを第二熱交換器４に伝達するのをより抑え、結果、騒音の発生を防ぐことができる、という効果を奏する。
【００３０】
１ループは高さが５０ｍｍ以上で１５０ｍｍ以下程度、横が４０ｍｍ以上で１００ｍｍ以下程度、曲げＲはＲ１５ｍｍ以上でＲ４０ｍｍ以下が効果的である。
【００３１】
また、そのループの、振る角度は１０°〜９０°が効果的であるが、より好ましくは１０°〜３０°の角度である。
【産業上の利用可能性】
【００３２】
本発明にかかる浴室換気空調装置は、床置き以外にもヒートポンプ式の空調装置を取り付けることを可能とするものであるので、設置工事時に床置き以外として有用である。
【符号の説明】
【００３３】
１    圧縮機
２    第一熱交換器
３    膨張機構
４    第二熱交換器
５    冷媒回路
６    外郭
７    送風機ユニット
８    防振ゴム
９    防振部
１０  冷媒吐出配管
１１  マフラー管
１２  冷媒吸込配管
【図１】
2012193934.tif 000003
【図２】
2012193934.tif 000004
【図３】
2012193934.tif 000005
【図４】
2012193934.tif 000006
【図５】
2012193934.tif 000007
【図６】
2012193934.tif 000008